(57)【要約】      （修正有）【課題】ユーザーが容易に操作可能な装置を提供すること。【解決手段】スマートフォン１は、ディスプレイ４と、ディスプレイ４と連動したタッチパネル５１と、ＳｏＣと、を備える。ＳｏＣは、タッチパネルへの接触を受け付け、タッチパネルへの接触領域に基づいて、ディスプレイに表示している表示対象物の表示を制御する。タッチパネルの一部は、ゴムバンド１１、１２に覆われている。具体的には、ＳｏＣは、接触領域に、操作ボタン１３、１４を移動する。【選択図】図５
2020052752.tif 000002
【特許請求の範囲】
【請求項１】
ディスプレイと、
前記ディスプレイと連動したタッチパネルと、
制御部と、を備え、
前記制御部は、
前記タッチパネルへの接触を受け付け、前記タッチパネルへの接触領域に基づいて、前記ディスプレイに表示している表示対象物の表示を制御することを特徴とする電子機器。
【請求項２】
前記制御部は、前記接触領域に、前記表示対象物を移動することを特徴とする請求項１に記載の電子機器。
【請求項３】
前記制御部は、前記接触領域と重複しない領域に、前記表示対象物を縮小することを特徴とする請求項１に記載の電子機器。
【請求項４】
前記表示対象物は、操作を受け付けるためのものであることを特徴とする請求項１〜３のいずれか１項に記載の電子機器。
【請求項５】
前記タッチパネルの一部は、物体に覆われていることを特徴とする請求項１〜４のいずれか１項に記載の電子機器。
【請求項６】
前記タッチパネルは、矩形であり、
前記制御部は、前記タッチパネルにより、前記タッチパネルの一辺に沿った方向への前記タッチパネルへの一部の接触を受け付けた場合、接触を受け付けていない領域に垂直な方向に物体が存在すると判断することを特徴とする請求項１〜５のいずれか１項に記載の電子機器。
【請求項７】
前記制御部は、
前記接触領域の指定モードの選択を受け付け、
前記接触領域の指定モードの選択を受け付けた場合、前記接触領域の指定モードに移行することを特徴とする請求項１〜６のいずれか１項に記載の電子機器。
【請求項８】
前記制御部は、
前記接触領域の指定モードの終了を受け付け、
前記接触領域の指定モードの終了を受け付けた場合、前記接触領域の指定モードを終了することを特徴とする請求項７に記載の電子機器。
【請求項９】
前記制御部は、前記表示対象物以外の領域に鏡を表示することを特徴とする請求項１〜８のいずれか１項に記載の電子機器。
【請求項１０】
ディスプレイと、
前記ディスプレイと連動したタッチパネルと、
を備える電子機器の制御方法であって、
前記タッチパネルへの接触を受け付け、前記タッチパネルへの接触領域に基づいて、前記ディスプレイに表示している表示対象物を制御することを特徴とする電子機器の制御方法。
【発明の詳細な説明】
【技術分野】
【０００１】
本発明は、ディスプレイと、ディスプレイと連動したタッチパネルと、を備える電子機器、及び、電子機器の制御方法に関する。
【背景技術】
【０００２】
スマートフォン等での音楽再生の高音質化を図る場合、あわせて、外付けのポータブルアンプが利用されることがある。この場合、スマートフォンとポータブルアンプとをひとまとめにするために、ゴムバンドが用いられることがある。ゴムバンドは、一定の性能を得るために、ある程度の幅が必要となる。一方、ゴムバンドの利用方法は、操作を行うために、ポータブルアンプの上に、ディスプレイ（液晶）を上向きにしたスマートフォンを載せて、ポータブルアンプとスマートフォンとをまとめて束ねる、というものである。ゴムバンドがスマートフォンのディスプレイの上に被る構造となることから、ゴムバンドに幅があると、スマートフォンのディスプレイに表示されている操作ボタン等にゴムバンドが被り、ユーザーは、スマートフォンを操作できなくなってしまう。
【０００３】
また、昨今、スマートフォン、ＰＣ等で利用されている静電容量式のタッチパネル付ディスプレイが、家具や家電等にも利用されるようになってきた。具体的には、鏡、机等の利用例がある。鏡にタッチパネル付ディスプレイが利用されている機器は、スマートミラーと呼ばれている（例えば、特許文献１参照。）。スマートミラーは、表示機能と反射（鏡）機能とを切り替えることができる。このため、画面の表示と、画面上に存在する他の物体と、が干渉することがある。これまで、スマートフォン、ＰＣ等は、専用機として利用されていたため、画面と干渉する物体が画面上に存在する場合、基本的には、物体の方を避けて利用するのが、一般的である。しかしながら、鏡や机等の他の用途も有する製品の場合、画面上に干渉する物体を置くこと自体も、利用の想定に入ってしまう。このため、ユーザーは、干渉物の置く場所を、適宜移動させながら、ディスプレイを操作する必要があった。
【先行技術文献】
【特許文献】
【０００４】
【特許文献１】特開２０１７−０６８７９８号公報
【発明の概要】
【発明が解決しようとする課題】
【０００５】
上述したように、ディスプレイと連動したタッチパネルを備える装置において、ディスプレイにゴムバンド等の物体が載置される場合、物体により、ユーザーが操作を行うことが難しいという問題がある。
【０００６】
本発明の目的は、ユーザーが容易に操作可能な装置を提供することである。
【課題を解決するための手段】
【０００７】
第１の発明の電子機器は、ディスプレイと、前記ディスプレイと連動したタッチパネルと、制御部と、を備え、前記制御部は、前記タッチパネルへの接触を受け付け、前記タッチパネルへの接触領域に基づいて、前記ディスプレイに表示している表示対象物の表示を制御することを特徴とする。
【０００８】
本発明では、制御部は、タッチパネルへの接触を受け付け、タッチパネルへの接触領域に基づいて、ディスプレイに表示している表示対象物の表示を制御する。例えば、制御部は、接触領域に、表示対象物を移動する。例えば、タッチパネルが何かに覆われている場合、操作ボタン等の表示対象物が何かに覆われており、操作を行えない状態になっている可能性があるが、表示対象物が、何かに覆われていない接触領域に移動される。これにより、ユーザーは、操作ボタン等の表示対象物を操作可能となるため、容易に機器を操作可能となる。
【０００９】
第２の発明の電子機器は、第１の発明の電子機器において、前記制御部は、前記接触領域に、前記表示対象物を移動することを特徴とする。
【００１０】
第３の発明の電子機器は、第１の発明の電子機器において、前記制御部は、前記接触領域と重複しない領域に、前記表示対象物を縮小することを特徴とする。
【００１１】
本発明では、制御部は、接触領域と重複しない領域に、表示対象物を縮小する。これにより、接触領域に何かを置いたとしても、接触領域に重ならずに、表示対象物が表示される。
【００１２】
第４の発明の電子機器は、第１〜第３のいずれかの発明の電子機器において、前記表示対象物は、操作を受け付けるためのものであることを特徴とする。
【００１３】
第５の発明の電子機器は、第１〜第４のいずれかの発明の電子機器において、前記タッチパネルの一部は、物体に覆われていることを特徴とする。
【００１４】
第６の発明の電子機器は、第１〜第５のいずれかの発明の電子機器において、前記タッチパネルは、矩形であり、前記制御部は、前記タッチパネルにより、前記タッチパネルの一辺に沿った方向への前記タッチパネルへの一部の接触を受け付けた場合、接触を受け付けていない領域に垂直な方向に物体が存在すると判断することを特徴とする。
【００１５】
第７の発明の電子機器は、第１〜第６のいずれかの発明の電子機器において、前記制御部は、前記接触領域の指定モードの選択を受け付け、前記接触領域の指定モードの選択を受け付けた場合、前記接触領域の指定モードに移行することを特徴とする。
【００１６】
第８の発明の電子機器は、第７の発明の電子機器において、前記制御部は、前記接触領域の指定モードの終了を受け付け、前記接触領域の指定モードの終了を受け付けた場合、前記接触領域の指定モードを終了することを特徴とする。
【００１７】
第９の発明の電子機器は、第１〜第８のいずれかの発明の電子機器において、前記制御部は、前記表示対象物以外の領域に鏡を表示することを特徴とする。
【００１８】
第１０の発明の電子機器の制御方法は、ディスプレイと、前記ディスプレイと連動したタッチパネルと、を備える電子機器の制御方法であって、前記タッチパネルへの接触を受け付け、前記タッチパネルへの接触領域に基づいて、前記ディスプレイに表示している表示対象物を制御することを特徴とする。
【発明の効果】
【００１９】
本発明によれば、ユーザーは、容易に機器を操作することができる。
【図面の簡単な説明】
【００２０】
【図１】本発明の第１実施形態に係るスマートフォンの構成を示すブロック図である。
【図２】スマートフォンとポータブルアンプとの外観を示す模式図である。
【図３】スマートフォンの正面を示す図である。
【図４】スマートフォンの正面を示す図である。
【図５】スマートフォンの正面を示す図である。
【図６】本発明の第２実施形態に係るスマートミラーの構成を示すブロック図である。
【図７】スマートミラーの正面を示す図である。
【図８】スマートミラーの正面を示す図である。
【発明を実施するための形態】
【００２１】
以下、本発明の実施形態について説明する。
【００２２】
（第１実施形態）
図１は、本発明の第１実施形態に係るスマートフォンの構成を示すブロック図である。スマートフォン１は、例えば、ＵＳＢケーブルにより、ポータブルアンプ１０１に接続されている。
【００２３】
図１に示すように、スマートフォン１（電子機器）は、ＳｏＣ（System on Chip）２、記憶部３、ディスプレイ４、操作部５、無線モジュール６、ＵＳＢインターフェース（以下、「ＵＳＢ  Ｉ／Ｆ」という。）７を備える。
【００２４】
ＳｏＣ２（制御部）は、ＣＰＵ（Central Processing Unit）、ＤＳＰ（Digital Signal Processor）、メモリ等を有し、スマートフォン１を構成する各部を制御する。記憶部３は、ＯＳプログラム、アプリケーションプログラム等のプログラム、デジタルオーディオデータ（コンテンツ）等の各種データを記憶するフラッシュメモリから構成されている。なお、記憶部３は、例示する構成に限られず、ＨＤＤ（Hard Disk Drive）等であってもよい。
【００２５】
ディスプレイ４は、種々の画像（静止画像、動画像を含む）を表示するものであり、液晶パネルにより構成されている。操作部５は、各種設定を行うための操作キー、及び、ディスプレイ４と連動したタッチパネル５１を備えている。タッチパネル５１は、ディスプレイ４上に設けられている。タッチパネル５１は、タッチ動作、及び、スライド動作等を受け付けるためのものである。ユーザーは、操作部５を介して、各種の文字入力、設定などを行うことが可能である。
【００２６】
無線モジュール６は、Ｂｌｕｅｔｏｏｔｈ（登録商標）規格、Ｗｉ−Ｆｉ規格に従った無線通信を行うためのものである。ＵＳＢ  Ｉ／Ｆ７は、ＵＳＢ規格に従った通信を行うためのものである。ＳｏＣ２は、ＵＳＢ  Ｉ／Ｆ７を介して、ポータブルアンプ１０１にデジタルオーディオデータを出力する。
【００２７】
図２は、スマートフォン１とポータブルアンプ１０１との外観を示す模式図である。スマートフォン１、ポータブルアンプ１０１ともに、例えば、略直方体状の形状である。スマートフォン１は、ディスプレイ４を上にして、ポータブルアンプ１０１の上に重ねられる。重ねられたスマートフォン１とポータブルアンプ１０１とは、例えば、２本のゴムバンド１１、１２により固定される。ゴムバンド１１は、例えば、装置１、１０１の上部に設けられ、ゴムバンド１２は、例えば、装置１、１０１の下部に設けられる。
【００２８】
図３は、スマートフォン１の正面を示す図である。ディスプレイ４及びタッチパネル５１は、矩形である。タッチパネル５１（ディスプレイ４）の一部は、物体であるゴムバンド１１、１２に覆われている。図３に示すように、ディスプレイ４に表示されている上部の操作ボタン１３にゴムバンド１１が重なっている。また、下部の操作ボタン１４にゴムバンド１２が重なっている。これを解消するために、まず、ＳｏＣ２は、ゴムバンド１１、１２の位置を検出する。
【００２９】
まず、ＳｏＣ２は、ゴムバンド１１、１２がかかっているディスプレイ４（タッチパネル５１）への接触を検出が可能な状態とする。ユーザーは、ディスプレイ４を上から下になぞる（下から上でもよい。）。このとき、ユーザーは、ゴムバンド１１、１２がかかっていない箇所については、ディスプレイ４を、ゴムバンド１１、１２がかかっている箇所については、ゴムバンド１１、１２をなぞることになる。ユーザーがなぞった部分のうち、ゴムバンド１１、１２の上を通った箇所については、タッチパネル５１への入力（接触）がない。このため、ＳｏＣ２は、入力のない場所を特定することで、ゴムバンド１１、１２のある位置を特定する。ゴムバンド１１、１２は、一定の幅である。ここでは、ゴムバンド１１、１２は、左右方向に沿って存在し、ユーザーは、上下方向にディスプレイ４をなぞっているため、ＳｏＣ２は、入力のない場所と同幅で左右方向にゴムバンド１１、１２が存在していると判断する。
【００３０】
なお、ゴムバンド１１、１２が上下方向に存在している場合、ユーザーは、ディスプレイ４を左から右になぞる（右から左でもよい。）。上述のとおり、ＳｏＣ２は、タッチパネル５１への入力がない場所を特定することで、ゴムバンド１１、１２のある位置を特定する。また、ＳｏＣ２は、入力のない場所と同幅で上下方向にゴムバンド１１、１２が存在していると判断する。
【００３１】
このように、ＳｏＣ２は、タッチパネル５１により、タッチパネル５１の一辺に沿った方向（例えば、上下方向）へのタッチパネル５１への一部の接触を受け付けた場合、接触を受け付けていない領域に垂直な方向（例えば、左右方向）にゴムバンド１１、１２（物体）が存在すると判断する。
【００３２】
次に、ＳｏＣ２は、ゴムバンド１１、１２に操作ボタン１３、１４がかかっているか否かを確認する。ＳｏＣ２は、操作ボタン１３、１４の半分以上の面積が、検出したゴムバンド１１、１２の領域内にかかっている場合、ゴムバンド１１、１２の存在により、ユーザーによる操作に支障が出る状態になっているため、操作ボタン１３、１４をゴムバンド１１、１２に被らない位置まで移動させる対象とする。ＳｏＣ２は、移動させる対象が存在している場合、ゴムバンド１１、１２の上下どちらか広い方の領域に、引き出し・収納可能な領域を設け、その領域上に移動対象となった操作ボタン１３、１４を設置する。
【００３３】
具体的には、図４に示すように、ＳｏＣ２は、ゴムバンド１１に重なっている操作ボタン１３を、ゴムバンド１１の下方の領域に移動する。また、図５に示すように、ＳｏＣ２は、ゴムバンド１２に重なっている操作ボタン１４を、ゴムバンド１２の上方の領域に移動する。
【００３４】
このように、ＳｏＣ２は，タッチパネル５１への接触（ユーザーによるタッチプレイ５１へのなぞり）を受け付け、タッチパネル５１への接触領域に基づいて、ディスプレイ４に表示している表示対象物である操作ボタン１３、１４の表示を制御する。具体的には、ＳｏＣ２は、操作ボタン１３を接触領域、すなわち、ゴムバンド１１と重ならない位置（ゴムバンド１１の下方）に移動する。また、ＳｏＣ２は、操作ボタン１４を接触領域、すなわち、ゴムバンド１２と重ならない位置（ゴムバンド１２の上方）に移動する。
【００３５】
以上説明したように、本実施形態では、ＳｏＣ２は、タッチパネル５１への接触を受け付け、タッチパネル５１への接触領域に基づいて、ディスプレイ４に表示している表示対象物の表示を制御する。具体的には、ＳｏＣ２は、接触領域に、操作ボタン１３、１４を移動する。これにより、ユーザーは、操作ボタン１３、１４を操作可能となるため、容易にスマートフォン１を操作可能となる。
【００３６】
（第２実施形態）
図６は、本発明の第２実施形態に係るスマートミラーの構成を示すブロック図である。図６に示すように、スマートミラー２１（電子機器）は、ＳｏＣ（System on Chip）２２、記憶部２３、ディスプレイ２４、操作部２５を備える。
【００３７】
ＳｏＣ２２（制御部）は、ＣＰＵ（Central Processing Unit）、ＤＳＰ（Digital Signal Processor）、メモリ等を有し、スマートミラー２１を構成する各部を制御する。記憶部２３は、ＯＳプログラム、アプリケーションプログラム等のプログラム、動画データ（コンテンツ）等の各種データを記憶するＨＤＤから構成されている。
【００３８】
ディスプレイ２４は、種々の画像（静止画像、動画像を含む）を表示するものであり、液晶パネルにより構成されている。操作部２５は、各種設定を行うための操作キー、及び、ディスプレイ２４と連動したタッチパネル２５１を備えている。タッチパネル２５１は、ディスプレイ２４上に設けられている。タッチパネル２５１は、タッチ動作、及び、スライド動作等を受け付けるためのものである。ユーザーは、操作部２５を介して、各種の文字入力、設定などを行うことが可能である。
【００３９】
例えば、ディスプレイ２４には、画面が表示されている。ユーザーは、指で、画面を避けたい領域の外周をなぞる、又は、頂点をタップで指定して多角形を描く等の簡単なタッチ操作により、干渉領域を作る。ＳｏＣ２２は、タッチパネル２５１により、上述のタッチ操作による干渉領域の指定を受け付ける。また、ユーザーは、追加のタッチ操作により、干渉領域の反転、拡大縮小、位置調整を行うことができる。ＳｏＣ２２は、タッチパネル２５１により、追加のタッチ操作を受け付け、干渉領域の反転、拡大縮小、位置調整を行う。また、ＳｏＣ２は、受け付けた干渉領域に基づいて、干渉領域を回避した位置に画面を縮小して表示する。このとき、ＳｏＣ２２は、画面の表示場所として、縮小率が最も低くなる箇所を選択する。
【００４０】
図６は、スマートミラー２１の正面を示す図である。図６に示すように、ディスプレイ２４には、例えば、実線で示す表示領域に、映像が表示されている。ユーザーは、タッチパネル２５１への３本指によるタップ、設定項目の選択などの操作により、干渉領域の指定モードを選択する。ＳｏＣ２２は、タッチパネル２５１により、干渉領域の指定モードの選択を受け付けると、干渉領域の指定モードに移行する。ユーザーは、指でディスプレイ２５（タッチパネル２５１）の任意の場所に円を描き、干渉領域を指定する（図７の内側の破線の楕円）。ユーザーは、適宜ピンチアウト、ピンチイン等の操作により、領域の拡縮を行う。ここでは、ユーザーは、ピンチアウトにより、干渉領域を拡大している（図７の外側の破線の楕円）。ＳｏＣ２２は、タッチパネル２５１により、干渉領域の指定を受け付ける。
【００４１】
ユーザーは、タッチパネル２５１により、完了ボタン等で干渉領域の指定モードを終了する。ＳｏＣ２２は、タッチパネル２５１により、干渉領域の指定モードの終了を受け付け、干渉領域の指定モードを終了する。図８に示すように、ＳｏＣ２２は、干渉領域を確定する（図８の実線の楕円。）。ＳｏＣ２２は、干渉領域を回避する形で、表示領域を縮小表示する。
【００４２】
このように、ＳｏＣ２２は、接触領域（干渉領域）と重複しない領域に、表示対象物である表示領域を縮小する。また、ＳｏＣ２２は、表示領域以外の領域に鏡を表示する。
【００４３】
以上説明したように、本実施形態では、ＳｏＣ２２は、接触領域（干渉領域）と重複しない領域に、表示領域を縮小する。これにより、接触領域（干渉領域）に何かを置いたとしても、接触領域に重ならずに、表示領域が表示される。
【００４４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４５】
上述の実施形態においては、ディスプレイとタッチパネルとを備える電子機器として、スマートフォン、スマートミラーを例示した。これに限らず、他の電子機器であってもよい。
【産業上の利用可能性】
【００４６】
本発明は、ディスプレイと、ディスプレイと連動したタッチパネルと、を備える電子機器、及び、電子機器の制御方法に好適に採用され得る。
【符号の説明】
【００４７】
１  スマートフォン（電子機器）
１０１  スマートミラー（電子機器）
２、２２  ＳｏＣ（制御部）
４、２４  ディスプレイ
５、２５  操作部
５１、２５１  タッチパネル
１１、１２  ゴムバンド（物体）
１３、１４  操作ボタン（表示対象物）
【図１】
2020052752.tif 000003
【図２】
2020052752.tif 000004
【図３】
2020052752.tif 000005
【図４】
2020052752.tif 000006
【図５】
2020052752.tif 000007
【図６】
2020052752.tif 000008
【図７】
2020052752.tif 000009
【図８】
2020052752.tif 000010